【手続補正書】
【提出日】平成17年7月29日(2005.7.29)
【手続補正１】
【補正対象書類名】明細書
【補正対象項目名】特許請求の範囲
【補正方法】変更
【補正の内容】
【特許請求の範囲】
【請求項１】
外周面に複数の図柄が描かれたリールを複数同軸にして横方向に並べた回転リール部と、前記各リールの外周面の一部分を遊技者に見せるための観察窓と、前記各リールごとに用意された停止スイッチとを備え、スタートスイッチの操作によって前記各リールを回転させ、前記停止スイッチの押下に従って対応するリールを停止させ、すべてのリールが停止した際における前記観察窓内の停止態様が有効なライン上に特定の図柄が揃う当選パターンのとき、遊技者に有利な条件で遊技を行うことのできる特別遊技状態に移行して遊技者に利益を付与するスロットマシンにおいて、
遊技状態切替手段と、自動当選手段とを備え、
前記遊技状態切替手段は、前記停止スイッチを所定のタイミングで押下することによって前記当選パターンが出現し得るように設定された当選可能状態と前記停止スイッチの押下されたタイミングにかかわらず前記当選パターンが出現しないように設定された当選不可状態とに遊技状態を切り替えるものであり、
前記自動当選手段は、前記当選可能状態で行われた遊技において全てのリールが停止した際の停止態様が前記当選パターンにならないとき、前記当選パターンにならない原因となったリールを全て再回転させた後、これらのリールを前記当選パターンが成立するように停止させることを特徴とするスロットマシン。
【請求項２】
前記自動当選手段は、遊技者が停止させたリールのうちの少なくとも１つが前記当選パターンを構成する位置で停止しているときだけ、前記当選パターンにならない原因となったリールの全てを再回転させた後、該リールを前記当選パターンが成立するように停止させることを特徴とする請求項１に記載のスロットマシン。
【請求項３】
前記自動当選手段は、遊技者が停止させたリールのうちの少なくとも最初に停止させた１つのリールが前記当選パターンを構成する位置で停止しているときだけ、前記当選パターンにならない原因となったリールの全てを再回転させた後、該リールを前記当選パターンが成立するように停止させることを特徴とする請求項１または２に記載のスロットマシン。
【請求項４】
前記当選可能状態は、前記複数種類の当選可能状態を有するとともに、
前記当選パターンは、前記複数種類の当選可能状態に対応した当選パターンを有し、
前記自動当選手段は、前記複数種類の当選可能状態の中のいずれかが設定されているときに行われた遊技において全てのリールが停止した際の停止態様が設定されている当選可能状態に対応する当選パターンにならないとき、設定されている当選可能状態に対応する当選パターンが成立するようにリールの再回転と停止を行うことを特徴とする請求項１、２または３に記載のスロットマシン。
【請求項５】
前記当選パターンを構成し得る図柄の描画されている数が他のリールに比べて少ないリールを設けたことを特徴とする請求項１、２、３または４に記載のスロットマシン。
【請求項６】
前記当選可能状態では、前記当選パターンが出るように前記各リールの停止位置を対応する停止スイッチが押下されたタイミングから所定の制御範囲を限度に調整するとともに、前記制御範囲が他のリールに比べて狭く設定されたリールを設けたことを特徴とする請求項１、２、３、４または５に記載のスロットマシン。
【手続補正２】
【補正対象書類名】明細書
【補正対象項目名】０００１
【補正方法】変更
【補正の内容】
【０００１】
【発明の属する技術分野】
本発明は、外周面に複数の図柄が描かれたリールを複数同軸にして横方向に並べた回転リール部と、前記各リールの外周面の一部分を遊技者に見せるための観察窓と、前記各リールごとに用意された停止スイッチとを備え、スタートスイッチの操作によって前記各リールを回転させ、前記停止スイッチの押下に従って対応するリールを停止させ、すべてのリールが停止した際における前記観察窓内の停止態様が有効なライン上に特定の図柄が揃う当選パターンのとき、遊技者に有利な条件で遊技を行うことのできる特別遊技状態に移行して遊技者に利益を付与するスロットマシンに関する。
【手続補正３】
【補正対象書類名】明細書
【補正対象項目名】０００４
【補正方法】変更
【補正の内容】
【０００４】
スロットマシンは、適切なタイミングで停止スイッチを押下すれば、当選パターンが有効ライン上に出現し得る当選可能状態と、どのようなタイミングで停止スイッチを押下しても有効ライン上に当選パターンが出現しない当選不可状態の各遊技状態を有しており、乱数抽選などにより予め定めた確率に従って当選可能状態が現れるように設定されている。
【手続補正４】
【補正対象書類名】明細書
【補正対象項目名】０００６
【補正方法】変更
【補正の内容】
【０００６】
【発明が解決しようとする課題】
しかしながら、従来のスロットマシンでは、遊技状態が当選可能状態に設定されていても適切に目押しを行なわなければ、ビッグボーナスやレギュラーボーナス等の特典を得ることができない。従って、初心者あるいは動体視力や反射神経が不十分なお年寄りなどにとっては特に当たり図柄の描画数の少ないリールを目押しで適切な位置に停止させることが難しいので、折角、当選可能状態に設定されていても、ビッグボーナスやレギュラーボーナス等の利益を得ることができず、遊技を充分に楽しむことができないという問題があった。
【手続補正５】
【補正対象書類名】明細書
【補正対象項目名】０００７
【補正方法】変更
【補正の内容】
【０００７】
本発明は、このような従来の技術が有する問題点に着目してなされたもので、当選可能状態に設定されたとき、だれでも容易に当選パターンを揃えることができるとともに技量のある者は目押しを楽しむことのできるスロットマシンを提供することを目的としている。
【手続補正６】
【補正対象書類名】明細書
【補正対象項目名】０００８
【補正方法】変更
【補正の内容】
【０００８】
【課題を解決するための手段】
かかる目的を達成するための本発明の要旨とするところは、次の各項の発明に存する。
［１］外周面に複数の図柄が描かれたリール（３０ａ〜３０ｃ）を複数同軸にして横方向に並べた回転リール部と、前記各リール（３０ａ〜３０ｃ）の外周面の一部分を遊技者に見せるための観察窓（１５ａ〜１５ｃ）と、前記各リール（３０ａ〜３０ｃ）ごとに用意された停止スイッチ（１２ａ〜１２ｃ）とを備え、スタートスイッチ（１３）の操作によって前記各リール（３０ａ〜３０ｃ）を回転させ、前記停止スイッチ（１２ａ〜１２ｃ）の押下に従って対応するリール（３０ａ〜３０ｃ）を停止させ、すべてのリール（３０ａ〜３０ｃ）が停止した際における前記観察窓（１５ａ〜１５ｃ）内の停止態様が有効なライン上に特定の図柄が揃う当選パターンのとき、遊技者に有利な条件で遊技を行うことのできる特別遊技状態に移行して遊技者に利益を付与するスロットマシンにおいて、
遊技状態切替手段（１１０）と、自動当選手段（１２１）とを備え、
前記遊技状態切替手段（１１０）は、前記停止スイッチ（１２ａ〜１２ｃ）を所定のタイミングで押下することによって前記当選パターンが出現し得るように設定された当選可能状態と前記停止スイッチ（１２ａ〜１２ｃ）の押下されたタイミングにかかわらず前記当選パターンが出現しないように設定された当選不可状態とに遊技状態を切り替えるものであり、
前記自動当選手段（１２１）は、前記当選可能状態で行われた遊技において全てのリール（３０ａ〜３０ｃ）が停止した際の停止態様が前記当選パターンにならないとき、前記当選パターンにならない原因となったリールを全て再回転させた後、これらのリールを前記当選パターンが成立するように停止させることを特徴とするスロットマシン。
【手続補正７】
【補正対象書類名】明細書
【補正対象項目名】０００９
【補正方法】変更
【補正の内容】
【０００９】
［２］前記自動当選手段（１２１）は、遊技者が停止させたリール（３０ａ〜３０ｃ）のうちの少なくとも１つが前記当選パターンを構成する位置で停止しているときだけ、前記当選パターンにならない原因となったリールの全てを再回転させた後、該リールを前記当選パターンが成立するように停止させることを特徴とする［１］に記載のスロットマシン。
【手続補正８】
【補正対象書類名】明細書
【補正対象項目名】００１０
【補正方法】変更
【補正の内容】
【００１０】
［３］前記自動当選手段（１２１）は、遊技者が停止させたリール（３０ａ〜３０ｃ）のうちの少なくとも最初に停止させた１つのリールが前記当選パターンを構成する位置で停止しているときだけ、前記当選パターンにならない原因となったリールの全てを再回転させた後、該リールを前記当選パターンが成立するように停止させることを特徴とする［１］または［２］に記載のスロットマシン。
【手続補正９】
【補正対象書類名】明細書
【補正対象項目名】００１１
【補正方法】変更
【補正の内容】
【００１１】
［４］前記当選可能状態は、前記複数種類の当選可能状態を有するとともに、   前記当選パターンは、前記複数種類の当選可能状態に対応した当選パターンを有し、
前記自動当選手段（１２１）は、前記複数種類の当選可能状態の中のいずれかが設定されているときに行われた遊技において全てのリール（３０ａ〜３０ｃ）が停止した際の停止態様が設定されている当選可能状態に対応する当選パターンにならないとき、設定されている当選可能状態に対応する当選パターンが成立するようにリールの再回転と停止を行うことを特徴とする［１］、［２］または［３］に記載のスロットマシン。
【手続補正１０】
【補正対象書類名】明細書
【補正対象項目名】００１７
【補正方法】変更
【補正の内容】
【００１７】
また、遊技者が停止させたリールのうちの少なくとも１つが当選パターンを構成する位置で停止しているときだけ、当選パターンにならない原因となったリールを全て再回転させた後、該リールを前記当選パターンが成立するように停止させることを行うようにする。当選パターンを構成する図柄が１つでも停止表示すれば、遊技者は当選パターンの出現を期待する。また、遊技者が停止させたリールのうちの少なくとも最初に停止させた１つのリールが当選パターンを構成する位置で停止したときだけ、当選パターンにならない原因となったリールを全て再回転させた後、該リールを前記当選パターンが成立するように停止させること等である。
【手続補正１１】
【補正対象書類名】明細書
【補正対象項目名】００１８
【補正方法】変更
【補正の内容】
【００１８】
また、複数種類の当選可能状態に対応した複数種類の当選パターンを有するものでは、自動当選手段（１２１）は、これら複数種類の当選可能状態の中のいずれかの当選可能状態が設定されているときに行われた遊技において、全てのリール（３０ａ〜３０ｃ）が停止した際の停止態様が、設定されている当選可能状態に対応する当選パターンにならなかったとき、当選パターンにならない原因となった全てのリールを再回転させた後、これらのリールを設定されている当選可能状態に対応する当選パターンが成立するように停止させる。
【手続補正１２】
【補正対象書類名】明細書
【補正対象項目名】００１９
【補正方法】変更
【補正の内容】
【００１９】
たとえば、ビッグボーナス（ＢＢ）とレギュラーボーナス（ＲＢ）の２種類の当選可能状態のうち、現在、ビッグボーナスの出得る当選可能状態に設定されているときは、再回転の後、ビッグボーナスの図柄が揃うようにリールを停止させる。より具体的には、赤のＢＡＲが３つ揃ってビッグボーナス、赤のＢＡＲが２つと青のＢＡＲが１つでレギュラーボーナスになるような場合、赤のＢＡＲが第１ののリール（３０ａ）に停止し、第２、３のリール（３０ｂ、３０ｃ）に赤のＢＡＲでも青のＢＡＲでもない図柄が停止したときは、これら異なる図柄で停止しているリールが再回転し、設定されている当選可能状態に対応した図柄（ＢＢなら２つとも赤のＢＡＲを、ＲＢなら赤のＢＡＲ１つと青のＢＡＲ１つ）が停止表示されるように各リールを自動的に停止する。
【手続補正１３】
【補正対象書類名】明細書
【補正対象項目名】００２１
【補正方法】変更
【補正の内容】
【００２１】
当選可能状態に設定されているとき、当選パターンが出るように各リール（３０ａ〜３０ｃ）の停止位置を対応する停止スイッチ（１２ａ〜１２ｃ）が押下されたタイミングから所定の制御範囲を限度に調整するものでは、この制御範囲が他のリールに比べて狭く設定されたリールを設ける。このように制御範囲を狭くすることで当たりの図柄の描画数を減なくしたことと同じ効果を得ることができる。
【手続補正１４】
【補正対象書類名】明細書
【補正対象項目名】００３７
【補正方法】変更
【補正の内容】
【００３７】
なお、第１のリール３０ａは、当選パターンを構成する赤の「７」の図柄が比較的多数描画されており、その配置間隔が制御範囲内に収まるようになっている。したがって、当選可能状態に設定されていれば、第１のリール３０ａについては、どのようなタイミングでストップボタン１２ａを押下しても、必ず当選パターンを構成する赤の「７」の図柄が有効ライン上に停止するように制御される。
【手続補正１５】
【補正対象書類名】明細書
【補正対象項目名】００４３
【補正方法】変更
【補正の内容】
【００４３】
このようにして遊技状態の設定変更等を行ってから、その遊技状態の元でスロット遊技を実行する（ステップＳ４０７）。すなわち、第１〜第３のリール３０ａ、３０ｂ、３０ｃを一斉に回転させてストップスイッチの押下に応じて対応するリールを停止させるというスロット遊技を実際に実行する。スロット遊技の実行後、その結果が有効ライン上に当選パターンの揃う当選状態であれば（ステップＳ４０８；Ｙ）、遊技状態を当選不可状態に戻す（ステップＳ４１０）。一方、当選パターンが成立しない外れ状態で（ステップＳ４０８；Ｎ）、かつ当選可能状態に設定されてからの遊技実行回数が所定回数未満ならば、遊技状態を当選可能状態のまま維持し、当選可能状態に設定されてからの遊技実行回数が所定回数に達したならば（ステップＳ４０９；Ｙ）、当選パターンが出なくても遊技状態を当選不可状態に戻す（ステップＳ４１０）。
【手続補正１６】
【補正対象書類名】明細書
【補正対象項目名】００４６
【補正方法】変更
【補正の内容】
【００４６】
ビッグボーナス用の特別遊技状態に移行されると、以後、所定の解除条件が満足されるまでの間、極めて有利な条件で遊技が進行し、通常、遊技者は合計で３００枚から４００枚のメダルを獲得する。
【手続補正１７】
【補正対象書類名】明細書
【補正対象項目名】００４８
【補正方法】変更
【補正の内容】
【００４８】
図６は、再回転後にビッグボーナス用の当選パターンが揃う場合におけるゲームの進行状況の一例を示している。スタートスイッチ１３が操作されると全てのリールが回転する（図６ａ）。その後、遊技者がストップボタン１２ａ〜１２ｃを押下したタイミングにしたがって各リールを停止させる（図６ｂ、ｃ）。本例では、第１のリール３０ａは、その円周方向外周面に制御範囲よりも狭い間隔で赤色「７」の図柄（ビッグボーナス用の当たり図柄）を配置しているので、どのようなタイミングでストップボタン１２ａを押下しても、ＢＢ当選可能状態に設定されていれば、赤色「７」の図柄６０１が有効化されたライン（ここでは中央の横の有効ライン）上に停止表示される（図６ｂ）。
【手続補正１８】
【補正対象書類名】明細書
【補正対象項目名】００５０
【補正方法】変更
【補正の内容】
【００５０】
このように、ＢＢ当選可能状態に設定されているときに行われたスロット遊技で遊技者の操作に基づいて停止した１または２以上のリールの停止位置が当選パターンを構成しないとき、自動当選制御部１２１は、図６ｄに示すように、外れの原因になった全てのリール３０ｂ、３０ｃを再回転させ、その後、図６ｅに示すように、赤色「７」の図柄６０４、６０５が表示されるように第２、第３のリール３０ｂ、３０ｃを停止させる。これにより赤色「７」の図柄が３つ揃って当選パターンが成立する。
【手続補正１９】
【補正対象書類名】明細書
【補正対象項目名】００５９
【補正方法】変更
【補正の内容】
【００５９】
このように、遊技状態がＲＢ当選可能状態に設定されているにもかかわらず、全てのリールが停止した際にＲＢ当選パターンが形成されなかったとき、自動当選制御部１２１は、図１０ｄに示すように、外れの原因になったリール３０ｂ、３０ｃを全て再回転させ、その後、図１０ｅに示すように、赤色「７」の図柄１００４が表示されるように第２のリール３０ｂを停止させるとともに、レギュラーボーナス用の青色「７」の図柄１００５が表示されるように第３のリール３０ｃを停止させる。これによりレギュラーボーナスに対応する当選パターンが有効化されたライン上に揃うことになる。
【手続補正２０】
【補正対象書類名】明細書
【補正対象項目名】００６１
【補正方法】変更
【補正の内容】
【００６１】
このように、ＢＢ当選可能状態あるいはＲＢ当選可能状態に遊技状態が設定されていたにもかかわらず、遊技者のストップ操作に基づいて全てのリールを停止させた際にビッグボーナス用やレギュラーボーナス用の当選パターンが出ないとき、停止位置が不適当な全てのリールを再回転させ、これらを自動的に当選パターンがでるように停止させるので、技量の未熟な初心者等であっても容易にビッグボーナスやレギュラーボーナス等の利益を得ることができる。さらに、最初は、遊技者によって停止スイッチが押下されたタイミングに基づいてリールを停止させるので、技量のある者は、目押しのテクニックを楽しむことができる。
【手続補正２１】
【補正対象書類名】明細書
【補正対象項目名】００６６
【補正方法】変更
【補正の内容】
【００６６】
このほか、実施の形態では、３つ全てのリールが不適当な位置で停止した場合にも、再回転するように構成したが、少なくとも１つのリールが当選パターンを構成する図柄で停止している場合に限り、当選パターンにならない原因となったリールを全て再回転させた後、リールを当選パターンが成立するように停止させてもよい。また少なくとも最初に停止させたリールが当選パターンを構成する図柄で停止している場合に限り、当選パターンにならない原因となったリールを全て再回転させた後、該リールを前記当選パターンが成立するように停止させてもよい。
【手続補正２２】
【補正対象書類名】明細書
【補正対象項目名】００６７
【補正方法】変更
【補正の内容】
【００６７】
さらに実施の形態では、一部のリールについて、当選パターンを構成する図柄の描画数を少なくしたが、描画数に代えて、制御範囲の広さを一部のリールだけ狭くしてもよい。また実施の形態では、一旦、当選可能状態に設定されると、当選しなければその状態が所定期間継続するようになっているが、スロット遊技を実行するごとに毎回、乱数抽選を行い、各回ごとに当選可能状態とするか否かを選択するように構成しても良い。
【手続補正２３】
【補正対象書類名】明細書
【補正対象項目名】００６９
【補正方法】変更
【補正の内容】
【００６９】
【発明の効果】
本発明にかかるスロットマシンによれば、当選パターンの出現し得る当選可能状態に設定されているときに行われたスロット遊技で目押しがうまくいかずに当選パターンが出なかったとき、外れの要因になっている全てのリールを再回転させて当選パターンが出るようにこれらを自動的に停止させるので、技量の未熟な初心者等であっても容易にビッグボーナスやレギュラーボーナス等の利益を得ることができる。さらに、最初は、遊技者が停止スイッチを押下したタイミングに基づいてリールを停止させるので、技量のある者は、目押しのテクニックを楽しむことができる。